(57)【特許請求の範囲】
【請求項１】
前方に開口する収納空間を有するキャビネット本体と、
前記キャビネット本体の前面に設けられた扉であって、
前記収納空間の開口形状に応じた形状のバックプレートと、
前記キャビネット本体の上部に上下方向を軸に回動可能に取り付けられ、前記バックプレートの上端が挿し込まれる溝を有し、前記バックプレートの上端を支持する上部支持体と、
非結晶性樹脂からなり、前記キャビネット本体の下部に前記上下方向を軸に回動可能に取り付けられ、前記バックプレートの下端が挿し込まれる溝を有し、前記バックプレートの下端を支持する下部支持体と、
前記バックプレートの前面側に設けられたミラーと、
を有し、前記上部支持体及び前記下部支持体の回動により、前記収納空間の少なくとも一部を前記バックプレートで塞ぐ閉じ位置と、前記収納空間を開放する開き位置と、に移動する扉と、
を備え、
前記扉は、前記バックプレートの背面に設けられ、前記バックプレートの背面と前記下部支持体との間に空く隙間の上方を覆い、前記隙間への液体の浸入を抑制する浸入抑制部を有し、
前記浸入抑制部は、前記バックプレートの背面から突出し、前記バックプレートの背面の幅方向に延びるリブであり、
前記リブは、前記バックプレートの背面を流下する液体を受ける上面を有し、前記上面と前記バックプレートの背面とで形成されるコーナー部で液体の表面張力を増幅させ、前記上面に液体を滞留させることにより、前記隙間への液体の浸入を抑制することを特徴とするミラーキャビネット。
【請求項２】
前記扉が前記閉じ位置にある状態においては、前記上部支持体および前記下部支持体の少なくともいずれか一方が前記キャビネット本体と当接するように構成されており、
前記リブは、前記下部支持体の上端近傍に設けられ、かつ、前記下部支持体の上端との間に隙間を有し、前記扉が前記閉じ位置に移動し、前記扉と前記キャビネット本体との衝突で振動が生じた際の、前記下部支持体の上端との衝突を抑制することを特徴とする請求項１記載のミラーキャビネット。
【請求項３】
前記扉は、前記バックプレートの背面側から前記下部支持体及び前記バックプレートに貫通して前記バックプレートを前記下部支持体に保持する保持具を有し、
前記浸入抑制部は、少なくとも前記保持具の上方に配置されることを特徴とする請求項１又は２に記載のミラーキャビネット。
【請求項４】
洗面ボウルを有する洗面器と、
前記洗面器の上に設けられ、前記洗面ボウルに向けて水を吐出する水栓装置と、
前記水栓装置の上に設けられたミラーキャビネットと、
を備え、
前記ミラーキャビネットは、
前方に開口する収納空間を有するキャビネット本体と、
前記キャビネット本体の前面に設けられた扉であって、
前記収納空間の開口形状に応じた形状のバックプレートと、
前記キャビネット本体の上部に上下方向を軸に回動可能に取り付けられ、前記バックプレートの上端が挿し込まれる溝を有し、前記バックプレートの上端を支持する上部支持体と、
非結晶性樹脂からなり、前記キャビネット本体の下部に前記上下方向を軸に回動可能に取り付けられ、前記バックプレートの下端が挿し込まれる溝を有し、前記バックプレートの下端を支持する下部支持体と、
前記バックプレートの前面側に設けられたミラーと、
を有し、前記上部支持体及び前記下部支持体の回動により、前記収納空間の少なくとも一部を前記バックプレートで塞ぐ閉じ位置と、前記収納空間を開放する開き位置と、に移動する扉と、
を有し、
前記扉は、前記バックプレートの背面に設けられ、前記バックプレートの背面と前記下部支持体との間に空く隙間の上方を覆い、前記隙間への液体の浸入を抑制する浸入抑制部を有し、
前記浸入抑制部は、前記バックプレートの背面から突出し、前記バックプレートの背面の幅方向に延びるリブであり、
前記リブは、前記バックプレートの背面を流下する液体を受ける上面を有し、前記上面と前記バックプレートの背面とで形成されるコーナー部で液体の表面張力を増幅させ、前記上面に液体を滞留させることにより、前記隙間への液体の浸入を抑制することを特徴とする洗面化粧台。
【発明の詳細な説明】
【技術分野】
【０００１】
本発明の態様は、一般的に、ミラーキャビネット及び洗面化粧台に関する。
【背景技術】
【０００２】
収納空間を有するキャビネット本体と、収納空間を開閉する扉と、扉の前面に設けられたミラーと、を備えたミラーキャビネットが知られている。ミラーキャビネットは、例えば、洗面化粧台に用いられる。ミラーキャビネットは、洗面化粧台において、洗面器や水栓装置などの上に取り付けられる。これにより、洗面時に使用者が顔を確認することができるとともに、洗面に必要な小物などを本体内に収納することができる。
【０００３】
扉は、例えば、収納空間の開口形状に応じた形状のバックプレートと、バックプレートの上端を支持する上部支持体と、バックプレートの下端を支持する下部支持体と、を有する。上部支持体及び下部支持体は、ヒンジなどの回転軸を介して回動可能にキャビネット本体に取り付けられる。扉は、回転軸を中心に回動することにより、収納空間を開閉する。ミラーは、バックプレートの前面側に設けられる。
【０００４】
下部支持体は、バックプレートの下端が挿し込まれる溝を有し、溝で挟むことによって、バックプレートの下端を支持する。また、下部支持体及びバックプレートには、バックプレートの背面側からネジなどの保持具が挿通され、保持具によってバックプレートが下部支持体に保持される。下部支持体には、例えば、材料コストが安く、加工性の高い非結晶性樹脂が用いられる。
【０００５】
このように構成された扉では、バックプレートの長さを変更することで、様々な高さのキャビネット本体に対応することができる。換言すれば、高さの異なる複数の品種のミラーキャビネットに、上部支持体及び下部支持体を共通に用いることができる。これにより、例えば、ミラーキャビネットの製造コストを抑えることができる。
【０００６】
洗面化粧台においては、使用者の閉め忘れなどにより、扉を開けた状態のままで手洗いや衣服の洗浄などが行われる場合がある。この際、飛散した洗剤などの薬品を含む水が、バックプレートの背面に付着すると、水がバックプレートの背面を流下して、バックプレートの背面と下部支持体との間の隙間に入り込んでしまう。
【０００７】
下部支持体に用いられる非結晶性樹脂は、洗剤などに含まれるアルカリ成分や酸性成分に弱い。このため、洗剤などの薬品を含む水が、バックプレートの背面と下部支持体との間の隙間に入り込むと、下部支持体の劣化を早めてしまう。特に、ネジなどの保持具が挿通された比較的強い応力が作用している部分に薬品を含む水が付着すると、この部分において下部支持体が破損し易くなってしまう。
【０００８】
このため、ミラーキャビネット及びこれを備えた洗面化粧台においては、バックプレートの背面と下部支持体との間の隙間に入り込む水に起因する下部支持体の劣化を抑制することが望まれる。
【先行技術文献】
【特許文献】
【０００９】
【特許文献１】特開２０１４−２２３２８４号公報
【発明の概要】
【発明が解決しようとする課題】
【００１０】
本発明は、かかる課題の認識に基づいてなされたものであり、劣化を抑制したミラーキャビネット及び洗面化粧台を提供することを目的とする。
【課題を解決するための手段】
【００１１】
第１の発明は、前方に開口する収納空間を有するキャビネット本体と、前記キャビネット本体の前面に設けられた扉であって、前記収納空間の開口形状に応じた形状のバックプレートと、前記キャビネット本体の上部に上下方向を軸に回動可能に取り付けられ、前記バックプレートの上端が挿し込まれる溝を有し、前記バックプレートの上端を支持する上部支持体と、非結晶性樹脂からなり、前記キャビネット本体の下部に前記上下方向を軸に回動可能に取り付けられ、前記バックプレートの下端が挿し込まれる溝を有し、前記バックプレートの下端を支持する下部支持体と、前記バックプレートの前面側に設けられたミラーと、を有し、前記上部支持体及び前記下部支持体の回動により、前記収納空間の少なくとも一部を前記バックプレートで塞ぐ閉じ位置と、前記収納空間を開放する開き位置と、に移動する扉と、を備え、前記扉が、前記バックプレートの背面に設けられ、前記バックプレートの背面と前記下部支持体との間に空く隙間の上方を覆い、前記隙間への液体の浸入を抑制する浸入抑制部を有し、前記浸入抑制部は、前記バックプレートの背面から突出し、前記バックプレートの背面の幅方向に延びるリブであり、前記リブは、前記バックプレートの背面を流下する液体を受ける上面を有し、前記上面と前記バックプレートの背面とで形成されるコーナー部で液体の表面張力を増幅させ、前記上面に液体を滞留させることにより、前記隙間への液体の浸入を抑制することを特徴とするミラーキャビネットである。
【００１２】
このミラーキャビネットによれば、バックプレートの背面と下部支持体との間の隙間への液体の浸入が浸入抑制部によって抑制される。これにより、下部支持体に安価で加工性の高い非結晶性樹脂を用いた場合にも、薬品を含む水などによる下部支持体の劣化を抑制することができる。また、このミラーキャビネットによれば、バックプレートの背面と下部支持体との間の隙間への液体の浸入を簡単な構成で抑制することができる。例えば、下部支持体の劣化抑制にともなう製造コストの増加を抑えることができる。
【００１５】
第２の発明は、第１の発明において、前記扉が前記閉じ位置にある状態においては、前記上部支持体および前記下部支持体の少なくともいずれか一方が前記キャビネット本体と当接するように構成されており、前記リブが、前記下部支持体の上端近傍に設けられ、かつ、前記下部支持体の上端との間に隙間を有し、前記扉が前記閉じ位置に移動し、前記扉と前記キャビネット本体との衝突で振動が生じた際の、前記下部支持体の上端との衝突を抑制することを特徴とするミラーキャビネットである。
【００１６】
このミラーキャビネットによれば、リブ上に液体が滞留した状態で、勢いよく扉が閉められ、上部支持体および下部支持体の少なくともいずれか一方とキャビネット本体との衝突により下部支持体に振動が生じた場合でも、下部支持体の上端とリブとが衝突しないように隙間を設けているため、振動がリブに伝達されることを抑制でき、滞留した液体の流動を抑制することができる。これにより、リブ上に液体が滞留した状態で勢いよく扉が閉められた場合でも、リブの下側に液体が回り込んで、バックプレートの背面と下部支持体との間の隙間に液体が浸入してしまうことを抑制することができる。また、リブが下部支持体の上端近傍に設けられているため、下部支持体の上端とリブとの間の隙間が小さく抑えられ、この隙間に、飛散した薬品を含む水などが直接浸入することを抑制することができる。
【００１７】
第３の発明は、第１又は第２の発明において、前記扉が、前記バックプレートの背面側から前記下部支持体及び前記バックプレートに貫通して前記バックプレートを前記下部支持体に保持する保持具を有し、前記浸入抑制部が、少なくとも前記保持具の上方に配置されることを特徴とするミラーキャビネットである。
【００１８】
このミラーキャビネットによれば、下部支持体において比較的強い応力が作用する保持具の挿通部分に薬品を含む水などが付着してしまうことを抑制することができる。従って、下部支持体の劣化をより適切に抑制することができる。
【００１９】
第４の発明は、洗面ボウルを有する洗面器と、前記洗面器の上に設けられ、前記洗面ボウルに向けて水を吐出する水栓装置と、前記水栓装置の上に設けられたミラーキャビネットと、を備え、前記ミラーキャビネットは、前方に開口する収納空間を有するキャビネット本体と、前記キャビネット本体の前面に設けられた扉であって、前記収納空間の開口形状に応じた形状のバックプレートと、前記キャビネット本体の上部に上下方向を軸に回動可能に取り付けられ、前記バックプレートの上端が挿し込まれる溝を有し、前記バックプレートの上端を支持する上部支持体と、非結晶性樹脂からなり、前記キャビネット本体の下部に前記上下方向を軸に回動可能に取り付けられ、前記バックプレートの下端が挿し込まれる溝を有し、前記バックプレートの下端を支持する下部支持体と、前記バックプレートの前面側に設けられたミラーと、を有し、前記上部支持体及び前記下部支持体の回動により、前記収納空間の少なくとも一部を前記バックプレートで塞ぐ閉じ位置と、前記収納空間を開放する開き位置と、に移動する扉と、を有し、前記扉は、前記バックプレートの背面に設けられ、前記バックプレートの背面と前記下部支持体との間に空く隙間の上方を覆い、前記隙間への液体の浸入を抑制する浸入抑制部を有し、前記浸入抑制部は、前記バックプレートの背面から突出し、前記バックプレートの背面の幅方向に延びるリブであり、前記リブは、前記バックプレートの背面を流下する液体を受ける上面を有し、前記上面と前記バックプレートの背面とで形成されるコーナー部で液体の表面張力を増幅させ、前記上面に液体を滞留させることにより、前記隙間への液体の浸入を抑制することを特徴とする洗面化粧台である。
【００２０】
この洗面化粧台によれば、ミラーキャビネットにおいて、バックプレートの背面と下部支持体との間の隙間への液体の浸入が浸入抑制部によって抑制される。これにより、下部支持体に安価で加工性の高い非結晶性樹脂を用いた場合にも、薬品を含む水などによる下部支持体の劣化を抑制することができる。
【発明の効果】
【００２１】
本発明の態様によれば、劣化を抑制したミラーキャビネット及び洗面化粧台を提供することができる。
【図面の簡単な説明】
【００２２】
【図１】図１（ａ）及び図１（ｂ）は、本発明の第１の実施の形態に係るミラーキャビネットを模式的に表す斜視図である。
【図２】本発明の第１の実施形態に係るミラーキャビネットの一部を拡大して表す部分斜視図である。
【図３】本発明の第１の実施形態に係る扉を模式的に表す断面図である。
【図４】本発明の第１の実施形態に係るミラーキャビネットの一部を拡大して表す部分断面図である。
【図５】本発明の第１の実施形態に係るミラーキャビネットの変形例を表す部分断面図である。
【図６】本発明の第２の実施の形態に係る洗面化粧台を模式的に表す正面図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１（ａ）及び図１（ｂ）は、本発明の第１の実施の形態に係るミラーキャビネットを模式的に表す斜視図である。  
図１（ａ）及び図１（ｂ）に表したように、ミラーキャビネット１０は、キャビネット本体１１と、扉１２と、照明部１３と、を備える。ミラーキャビネット１０、例えば、洗面化粧台に用いられる。ミラーキャビネット１０は、洗面化粧台において洗面器や水栓装置などの上方に配置して使用される。ミラーキャビネット１０は、洗面化粧台に限ることなく、他の用途に用いてもよい。ミラーキャビネット１０は、例えば、浴室や化粧室などに設置して用いてもよい。
【００２４】
キャビネット本体１１は、前方に開口する収納空間１１ａを有する。キャビネット本体１１は、例えば、直方体状である。キャビネット本体１１は、換言すれば、前面を開放させた略直方体の箱状である。キャビネット本体１１の形状は、直方体状に限ることなく、任意の形状でよい。キャビネット本体１１には、例えば、樹脂材料が用いられる。キャビネット本体１１の材料は、樹脂材料に限ることなく、金属材料などでもよい。
【００２５】
キャビネット本体１１は、例えば、背面を当接させた状態で洗面所の壁面に取り付けられ、洗面器や水栓装置などの上方に配置される。すなわち、キャビネット本体１１は、収納空間１１ａを使用者側に向けた状態で、洗面所の壁面に取り付けられる。
【００２６】
扉１２は、キャビネット本体１１の前面に設けられる。扉１２は、収納空間１１ａを塞ぐ閉じ位置と、収納空間１１ａを開放する開き位置と、に移動可能にキャビネット本体１１に設けられている。扉１２は、上下方向を軸とするヒンジを介して回動可能にキャビネット本体１１に取り付けられ、ヒンジを軸に回動することにより、閉じ位置と開き位置との間で移動する。すなわち、この例において、扉１２は、いわゆる開き戸である。
【００２７】
また、この例では、３枚の扉１２が、左右方向に並べてキャビネット本体１１に設けられ、３枚の扉１２によって収納空間１１ａが塞がれている。従って、１枚の扉１２は、閉じ位置にある状態において、収納空間１１ａの一部を塞ぐ。キャビネット本体１１に設けられる扉１２の数は、１枚又は２枚でもよいし、４枚以上でもよい。すなわち、扉１２は、閉じ位置にある状態において、収納空間１１ａの少なくとも一部を覆うものであればよい。
【００２８】
照明部１３は、前方に向けて光を照射する。照明部１３は、例えば、図示を省略した電源部に接続され、電源部からの電力供給に応じて光を照射する。照明部１３は、例えば、キャビネット本体１１の上部に設けられる。照明部１３の横幅（左右方向の長さ）は、キャビネット本体１１の横幅と実質的に同じである。照明部１３の取り付け位置は、キャビネット本体１１の上部に限ることなく、前方に光を照射可能な任意の位置でよい。照明部１３は、キャビネット本体１１に対して複数設けてもよい。
【００２９】
図２は、本発明の第１の実施形態に係るミラーキャビネットの一部を拡大して表す部分斜視図である。  
図３は、本発明の第１の実施形態に係る扉を模式的に表す断面図である。  
図１〜図３に表したように、扉１２は、バックプレート２０と、下部支持体２１と、上部支持体２２と、ミラー２３と、を有する。
【００３０】
バックプレート２０は、収納空間１１ａの開口形状に応じた形状を有する。この例において、収納空間１１ａの開口形状は、略矩形状である。従って、バックプレート２０の形状も、略矩形状である。バックプレート２０は、前面２０ａと、前面２０ａと反対側の背面２０ｂと、を有する。前面２０ａは、扉１２が閉じ位置にある状態において前方を向く面であり、背面２０ｂは、扉１２が閉じ位置にある状態において収納空間１１ａ側を向く面である。前面２０ａ及び背面２０ｂの形状は、略矩形状である。
【００３１】
バックプレート２０の上下方向の長さは、収納空間１１ａの上下方向の長さと同程度である。一方、この例では、３つの扉１２が設けられているから、バックプレート２０の幅は、収納空間１１ａの幅よりも短い。この例では、３つの扉１２のそれぞれのバックプレート２０の幅の合計が、収納空間１１ａの幅と同程度である。
【００３２】
バックプレート２０の材料は、例えば、樹脂材料である。バックプレート２０の材料は、例えば、ポリスチレンである。バックプレート２０の材料は、樹脂材料に限ることなく、例えば、金属材料などでもよい。
【００３３】
下部支持体２１は、ヒンジ３１及び連結部材３２、３３を介して、キャビネット本体１１の下部に上下方向を軸に回動可能に取り付けられる。下部支持体２１は、バックプレート２０の下端が挿し込まれる溝２１ａを有する。下部支持体２１は、溝２１ａでバックプレート２０の下端を挟むことにより、バックプレート２０の下端を支持する。
【００３４】
下部支持体２１は、バックプレート２０の幅と略同一の幅を有する。溝２１ａは、下部支持体２１の長手方向に延びる。溝２１ａの長さは、バックプレート２０の幅と略同一である。溝２１ａには、バックプレート２０の下端の略全体が挿し込まれる。
【００３５】
扉１２は、複数のネジ３４、３５、３６（保持具）を有する。ネジ３４、３５、３６は、バックプレート２０の背面２０ｂ側から下部支持体２１及びバックプレート２０に貫通してバックプレート２０を下部支持体２１に保持する。ネジ３４、３５、３６は、より詳しくは、タッピングネジである。この例では、保持具として、ネジ３４、３５、３６を示している。保持具は、これに限ることなく、例えば、リベットなどでもよい。また、保持具の数は、３つに限ることなく、１つ又は２つでもよいし、４つ以上でもよい。
【００３６】
下部支持体２１は、非結晶性樹脂からなる。下部支持体２１には、例えば、ＡＢＳ（Acrylonitrile Butadiene Styrene）樹脂が用いられる。
【００３７】
上部支持体２２は、ヒンジ４１及び連結部材４２、４３を介して、キャビネット本体１１の上部に上下方向を軸に回動可能に取り付けられる。上部支持体２２は、バックプレート２０の上端が挿し込まれる溝２２ａを有する。上部支持体２２は、溝２２ａでバックプレート２０の上端を挟むことにより、バックプレート２０の上端を支持する。上部支持体２２の構成は、下部支持体２１の構成と実質的に同じであるから、同様の部分についての説明は省略する。
【００３８】
ヒンジ４１は、下部支持体２１のヒンジ３１と実質的に同軸に配置される。これにより、扉１２は、下部支持体２１及び上部支持体２２のヒンジ３１、４１を軸とする回動により、閉じ位置と開き位置とに移動する。
【００３９】
上部支持体２２には、例えば、非結晶性樹脂が用いられる。上部支持体２２の材料は、例えば、下部支持体２１の材料と同じである。上部支持体２２の材料は、下部支持体２１の材料と異なってもよい。
【００４０】
ミラー２３は、バックプレート２０の前面２０ａ側に設けられる。ミラー２３の形状は、略矩形状である。この例において、ミラー２３の形状は、バックプレート２０の形状と実質的に同じである。ミラー２３の形状は、バックプレート２０の形状と異なってもよい。
【００４１】
下部支持体２１は、ミラー２３の下端が挿し込まれる溝２１ｂを有する。上部支持体２２は、ミラー２３の上端が挿し込まれる溝２２ｂを有する。下部支持体２１及び上部支持体２２は、バックプレート２０を支持するとともに、ミラー２３を支持する。これにより、ミラー２３がバックプレート２０の前面２０ａ側に保持される。
【００４２】
また、バックプレート２０とミラー２３との間には、接着層２４が設けられている。接着層２４は、ミラー２３の背面をバックプレート２０の前面２０ａに接着する。これにより、ミラー２３をより適切に保持することができる。接着層２４には、例えば、スポンジ状の両面テープが用いられる。接着層２４は、例えば、接着剤や粘着剤などでもよい。ミラー２３の保持方法は、上記に限ることなく、バックプレート２０の前面２０ａ側にミラー２３を保持可能な任意の方法でよい。
【００４３】
下部支持体２１には、マグネット３８が設けられている。キャビネット本体１１の前面には、収納空間１１ａの開口に沿う略矩形状のフレーム１１ｆ（磁性体）が設けられている。フレーム１１ｆは、磁性材料を含み、扉１２が閉じ位置にある状態において、マグネット３８に吸着する。これにより、扉１２は、閉じ位置に移動した場合に、マグネット３８とフレーム１１ｆとの吸着により、閉じ位置に保持される。この例では、下部支持体２１にマグネット３８を設け、キャビネット本体１１に磁性体であるフレーム１１ｆを設けている。これとは反対に、キャビネット本体１１にマグネットを設け、下部支持体２１に磁性体を設けてもよい。磁性体は、マグネットと吸着可能な任意の部材でよい。
【００４４】
扉１２は、閉じ位置にある状態において、キャビネット本体１１に当接する。この例では、扉１２の下部支持体２１が、マグネット３８を介してキャビネット本体１１に当接する。これに限ることなく、下部支持体２１をキャビネット本体１１に直接当接させてもよい。例えば、下部支持体２１をキャビネット本体１１に直接当接させた状態で、バネなどの弾性体の弾性力により、扉１２を閉じ位置に保持してもよい。
【００４５】
マグネット３８は、上部支持体２２に設けてもよいし、下部支持体２１と上部支持体２２との双方に設けてもよい。扉１２は、上部支持体２２をキャビネット本体１１に当接させてもよいし、下部支持体２１と上部支持体２２との双方をキャビネット本体１１に当接させてもよい。すなわち、扉１２は、下部支持体２１および上部支持体２２の少なくともいずれか一方がキャビネット本体１１と当接するように構成されていればよい。
【００４６】
図４は、本発明の第１の実施形態に係るミラーキャビネットの一部を拡大して表す部分断面図である。  
図２〜図４に表したように、扉１２は、リブ２６（浸入抑制部）を有する。リブ２６は、バックプレート２０の背面２０ｂに設けられ、バックプレート２０の背面２０ｂと下部支持体２１との間に空く隙間ＣＬ１の上方を覆い、隙間ＣＬ１への液体ＬＱの浸入を抑制する。
【００４７】
リブ２６は、バックプレート２０と一体に形成される。この場合、リブ２６の材料は、バックプレート２０の材料と実質的に同じである。バックプレート２０及びリブ２６には、例えば、下部支持体２１よりも耐薬品性の高い樹脂材料が用いられる。例えば、バックプレート２０及びリブ２６には、耐薬品性の高い材料を用い、下部支持体２１には、成形性の高い材料を用いる。これにより、扉１２の成形性を高めつつ、洗剤を含む水などに対する扉１２の耐性を高めることができる。例えば、扉１２の製造コストを抑えつつ、扉１２の劣化を抑制することができる。
【００４８】
リブ２６は、バックプレート２０と別の部品として形成し、ネジ止めなどによってバックプレート２０の背面２０ｂに取り付けてもよい。この場合、リブ２６の材料は、バックプレート２０の材料と異なってもよい。なお、リブ２６は、バックプレート２０と一体に形成されることが好ましい。これにより、例えば、リブ２６とバックプレート２０との間に空く隙間から、液体が下方に流下してしまうことを適切に抑制することができる。また、リブ２６はバックプレート２０から後方にまっすぐ延びるように構成することで、リブ２６とバックプレート２０とを樹脂で一体に形成する場合、形成が非常に容易となるため、製造コスト等の削減に寄与する。
【００４９】
リブ２６は、バックプレート２０の背面２０ｂから突出し、バックプレート２０の背面２０ｂの幅方向に延びる。この例において、リブ２６は、バックプレート２０の背面２０ｂの幅方向の略全体に設けられている。リブ２６は、幅方向に延びる隙間ＣＬ１の全体を覆う。
【００５０】
リブ２６は、バックプレート２０の背面２０ｂを流下する液体ＬＱを受ける上面２６ａを有する。リブ２６は、上面２６ａとバックプレート２０の背面２０ｂとで形成されるコーナー部ＣＵで液体ＬＱの表面張力を増幅させ、上面２６ａに液体ＬＱを滞留させることにより、隙間ＣＬ１への液体ＬＱの浸入を抑制する。
【００５１】
リブ２６は、下部支持体２１の上端近傍に設けられ、かつ、下部支持体２１の上端との間に隙間ＣＬ２を有する。リブ２６は、扉１２が閉じ位置に移動し、扉１２とキャビネット本体１１との衝突で扉１２に振動が生じた際の、下部支持体２１の上端との衝突を、隙間ＣＬ２によって抑制する。
【００５２】
隙間ＣＬ２の長さ（下部支持体２１の上端とリブ２６との間の上下方向の距離）は、例えば、０．５ｍｍ以上１．５ｍｍ以下である。隙間ＣＬ２の長さを０．５ｍｍ以上に設定する。これにより、下部支持体２１の上端とリブ２６との衝突を適切に抑制することができる。そして、隙間ＣＬ２の長さを１．５ｍｍ以下に設定する。これにより、飛散した液体が、隙間ＣＬ２から隙間ＣＬ１に浸入してしまうことを適切に抑制することができる。
【００５３】
以上説明したように、ミラーキャビネット１０では、バックプレート２０の背面２０ｂと下部支持体２１との間の隙間ＣＬ１への液体の浸入がリブ２６によって抑制される。これにより、下部支持体２１に安価で加工性の高い非結晶性樹脂を用いた場合にも、薬品を含む水などによる下部支持体２１の劣化を抑制することができる。
【００５４】
ミラーキャビネット１０では、リブ２６により、バックプレート２０の背面２０ｂと下部支持体２１との間の隙間ＣＬ１への液体の浸入を簡単な構成で抑制することができる。例えば、下部支持体２１の劣化抑制にともなう製造コストの増加を抑えることができる。
【００５５】
ミラーキャビネット１０では、リブ２６上に液体ＬＱが滞留した状態で、勢いよく扉１２が閉められ、扉１２とキャビネット本体１１との衝突により下部支持体２１に振動が生じた場合でも、下部支持体２１の上端とリブ２６とが衝突しないように隙間ＣＬ２を設けているため、振動がリブ２６に伝達されることを抑制でき、滞留した液体ＬＱの流動を抑制することができる。これにより、リブ２６上に液体ＬＱが滞留した状態で勢いよく扉１２が閉められた場合でも、リブ２６の下側に液体ＬＱが回り込んで、バックプレート２０の背面２０ｂと下部支持体２１との間の隙間ＣＬ１に液体が浸入してしまうことを抑制することができる。
【００５６】
また、ミラーキャビネット１０では、リブ２６が下部支持体２１の上端付近に設けられているため、下部支持体２１の上端とリブ２６との間の隙間ＣＬ２が小さく抑えられ、この隙間ＣＬ２に、飛散した薬品を含む水などが直接浸入することを抑制することができる。
【００５７】
ミラーキャビネット１０では、リブ２６が、幅方向に延びる隙間ＣＬ１の全体を覆う。これにより、下部支持体２１において比較的強い応力が作用するネジ３４、３５、３６の挿通部分に薬品を含む水などが付着してしまうことを抑制することができる。従って、下部支持体２１の劣化をより適切に抑制することができる。
【００５８】
なお、リブ２６は、必ずしも隙間ＣＬ１の全体を覆う必要はなく、少なくともネジ３４、３５、３６の挿通部分の上方に配置されていればよい。但し、上記のように、隙間ＣＬ１の全体をリブ２６で覆うことにより、下部支持体２１の劣化をより適切に抑制することができる。
【００５９】
図５は、本発明の第１の実施形態に係るミラーキャビネットの変形例を表す部分断面図である。  
図５に表したように、この例では、リブ２６が、カバー２８に置き換えられている。カバー２８は、下部支持体２１の上端を覆い、バックプレート２０の背面２０ｂを流下する液体を、下部支持体２１の上端よりも下方に導く。これにより、カバー２８は、隙間ＣＬ１への液体の浸入を抑制する。このように、浸入抑制部は、リブ２６に限ることなく、カバー２８でもよい。浸入抑制部は、バックプレート２０の背面２０ｂと下部支持体２１との間に空く隙間ＣＬ１への液体の浸入を抑制可能な任意の形状でよい。
【００６０】
図６は、本発明の第２の実施の形態に係る洗面化粧台を模式的に表す正面図である。  
図６に表したように、洗面化粧台１００は、ミラーキャビネット１０と、支持台１０２と、洗面器１０４と、水栓装置１０６と、を備える。洗面化粧台１００は、洗面所などの設置空間において、所定の壁面に取り付けられた状態で使用される。
【００６１】
支持台１０２は、例えば、フロアキャビネットである。この例において、支持台１０２は、引き出し式のキャビネットである。支持台１０２は、例えば、観音開き式のキャビネットなどでもよい。支持台１０２は、洗面器１０４を支持可能な任意の構成でよい。
【００６２】
洗面器１０４は、支持台１０２の上に設けられる。洗面器１０４は、下方に向かって凹んだ凹状の洗面ボウル１０４ａを有する。洗面ボウル１０４ａは、水栓装置１０６から吐出された水を受ける。
【００６３】
水栓装置１０６は、洗面器１０４の上に設けられる。水栓装置１０６は、吐水口１０６ａ（スパウト）と、操作部１０６ｂと、を有する。吐水口１０６ａは、洗面ボウル１０４ａに向けて水を吐出する。操作部１０６ｂは、吐水口１０６ａから吐出される水の流量及び温度を調節する。この例において、操作部１０６ｂは、レバーハンドルである。操作部１０６ｂは、これに限ることなく、回転型のハンドルなどでもよい。操作部１０６ｂは、少なくとも流量を調節できればよい。
【００６４】
ミラーキャビネット１０は、水栓装置１０６の上に設けられる。ミラーキャビネット１０は、水栓装置１０６の上に載せた状態で、ネジなどにより、壁面に固定される。
【００６５】
このように、洗面化粧台１００は、ミラーキャビネット１０を備える。従って、洗面化粧台１００は、上記第１の実施形態と同様の効果を得ることができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ミラーキャビネット１０及び洗面化粧台１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０ ミラーキャビネット、  １１ キャビネット本体、  １１ｆ フレーム（磁性体）、  １２ 扉、  １３ 照明部、  ２０ バックプレート、  ２１ 下部支持体、  ２２ 上部支持体、  ２３ ミラー、  ２４ 接着層、  ２６ リブ（浸入抑制部）、  ２８ カバー（浸入抑制部）、  ３１ ヒンジ、  ３２、３３ 連結部材、  ３４、３５、３６ ネジ（保持具）、  ３８ マグネット、  ４１ ヒンジ、  ４２、４３ 連結部材、  １００ 洗面化粧台、  １０２ 支持台、  １０４ 洗面器、  １０６ 水栓装置
【図１】
0006536114.tif 000002
【図２】
0006536114.tif 000003
【図３】
0006536114.tif 000004
【図４】
0006536114.tif 000005
【図５】
0006536114.tif 000006
【図６】
0006536114.tif 000007